【手続補正書】
【提出日】平成28年9月30日(2016.9.30)
【手続補正１】
【補正対象書類名】明細書
【補正対象項目名】０００８
【補正方法】変更
【補正の内容】
【０００８】
本発明の第１の観点に係る照明器具は、
光源を正面側に支持する本体を有する光源部品と、
前記本体を収容可能な取付部品と、
を備え、
前記本体の背面および前記取付部品における前記本体の背面に対向する面のいずれか一方に第１保持部材および第２保持部材が設けられ、他方に前記第１保持部材と対向する第１係止部材および前記第２保持部材と対向する第２係止部材が設けられ、
前記第１係止部材および前記第２係止部材の少なくとも一方は、前記第１係止部材と前記第２係止部材が対向する方向からの押圧により弾性変形し、
前記第１係止部材は、前記第１係止部材が設けられる面から前記第１保持部材が設けられる面に向かって屈曲する第１屈曲部、前記第１屈曲部に連続し前記第１保持部材が設けられる面に向かって延びる中間部、および、先端に形成された前記第１保持部材に係止する形状を有する先端部を有し、
前記第２係止部材は、前記第２係止部材が設けられる面から前記第１屈曲部とは反対向きに突出して前記第２保持部材が設けられる面に向かって屈曲する第２屈曲部を有し、
前記第１保持部材には、前記第１係止部材の一部が挿入可能であって、前記第１屈曲部と係合し、前記中間部に連続する前記第１係止部材の先端部が係止する、第１挿入孔が形成され、
前記第２保持部材には、前記第２係止部材の一部が挿入可能であって、前記第２屈曲部と係合する、第２挿入孔が形成される、
ことを特徴とする。
【手続補正２】
【補正対象書類名】明細書
【補正対象項目名】０００９
【補正方法】変更
【補正の内容】
【０００９】
本発明の第２の観点に係る光源部品は、
第１の観点に係る照明器具の取付部品に取付可能な光源部品であって、
光源を正面に支持する本体と、
前記本体の背面に、
前記本体の背面から前記取付部品における前記本体の背面に対向する面に向かって屈曲する第１屈曲部、前記第１屈曲部に連続し前記取付部品における前記本体の背面に対向する面に向かって延びる中間部、および、先端に形成され、対向する第１保持部材に係止する形状を有する先端部を有する第１係止部材、および、前記本体の背面から前記第１屈曲部とは反対向きに突出して前記取付部品における前記本体の背面に対向する面に向かって屈曲する第２屈曲部を有する第２係止部材を備え、
前記第１係止部材および前記第２係止部材の少なくとも一方は、前記第１係止部材と前記第２係止部材が対向する方向からの押圧により弾性変形する、
あるいは、
前記第１係止部材の一部が挿入可能であって、前記第１屈曲部と係合し、前記中間部に連続する前記第１係止部材の先端部が係止する、第１挿入孔が形成される前記第１保持部材、および、前記第２係止部材の一部が挿入可能であって、前記第２屈曲部と係合する、第２挿入孔が形成される第２保持部材を備える、
ことを特徴とする。
【手続補正３】
【補正対象書類名】明細書
【補正対象項目名】００１０
【補正方法】変更
【補正の内容】
【００１０】
本発明の第３の観点に係る取付部品は、
第１の観点に係る照明器具の光源部品が取付可能な取付部品であって、
光源を正面に支持する前記光源部品の本体の背面に対向する面に、
前記本体の背面に対向する面から前記本体の背面に向かって屈曲する第１屈曲部、前記第１屈曲部に連続し前記本体の背面に向かって延びる中間部、および、先端に形成され、対向する第１保持部材に係止する形状を有する先端部を有する第１係止部材、および、前記本体の背面に対向する面から前記第１屈曲部とは反対向きに突出して前記本体の背面に向かって屈曲する第２屈曲部を有する第２係止部材を備え、
前記第１係止部材および前記第２係止部材の少なくとも一方は、前記第１係止部材と前記第２係止部材が対向する方向からの押圧により弾性変形する、
あるいは、
前記第１係止部材の一部が挿入可能であって、前記第１屈曲部と係合し、前記中間部に連続する前記第１係止部材の先端部が係止する、第１挿入孔が形成される前記第１保持部材、および、前記第２係止部材の一部が挿入可能であって、前記第２屈曲部と係合する、第２挿入孔が形成される第２保持部材を備える、
ことを特徴とする。
【手続補正４】
【補正対象書類名】特許請求の範囲
【補正対象項目名】請求項１
【補正方法】変更
【補正の内容】
【請求項１】
光源を正面側に支持する本体を有する光源部品と、
前記本体を収容可能な取付部品と、
を備え、
前記本体の背面および前記取付部品における前記本体の背面に対向する面のいずれか一方に第１保持部材および第２保持部材が設けられ、他方に前記第１保持部材と対向する第１係止部材および前記第２保持部材と対向する第２係止部材が設けられ、
前記第１係止部材および前記第２係止部材の少なくとも一方は、前記第１係止部材と前記第２係止部材が対向する方向からの押圧により弾性変形し、
前記第１係止部材は、前記第１係止部材が設けられる面から前記第１保持部材が設けられる面に向かって屈曲する第１屈曲部、前記第１屈曲部に連続し前記第１保持部材が設けられる面に向かって延びる中間部、および、先端に形成された前記第１保持部材に係止する形状を有する先端部を有し、
前記第２係止部材は、前記第２係止部材が設けられる面から前記第１屈曲部とは反対向きに突出して前記第２保持部材が設けられる面に向かって屈曲する第２屈曲部を有し、
前記第１保持部材には、前記第１係止部材の一部が挿入可能であって、前記第１屈曲部と係合し、前記中間部に連続する前記第１係止部材の先端部が係止する、第１挿入孔が形成され、
前記第２保持部材には、前記第２係止部材の一部が挿入可能であって、前記第２屈曲部と係合する、第２挿入孔が形成される、
ことを特徴とする照明器具。
【手続補正５】
【補正対象書類名】特許請求の範囲
【補正対象項目名】請求項３
【補正方法】変更
【補正の内容】
【請求項３】
前記第１保持部材および前記第２保持部材は前記本体の背面に設けられ、
前記第１係止部材および前記第２係止部材は前記取付部品における前記本体の背面に対向する面に設けられる、
ことを特徴とする請求項１または２に記載の照明器具。
【手続補正６】
【補正対象書類名】特許請求の範囲
【補正対象項目名】請求項８
【補正方法】変更
【補正の内容】
【請求項８】
請求項１ないし７のいずれか１項に記載の照明器具の取付部品に取付可能な光源部品であって、
光源を正面に支持する本体と、
前記本体の背面に、
前記本体の背面から前記取付部品における前記本体の背面に対向する面に向かって屈曲する第１屈曲部、前記第１屈曲部に連続し前記取付部品における前記本体の背面に対向する面に向かって延びる中間部、および、先端に形成され、対向する第１保持部材に係止する形状を有する先端部を有する第１係止部材、および、前記本体の背面から前記第１屈曲部とは反対向きに突出して前記取付部品における前記本体の背面に対向する面に向かって屈曲する第２屈曲部を有する第２係止部材を備え、
前記第１係止部材および前記第２係止部材の少なくとも一方は、前記第１係止部材と前記第２係止部材が対向する方向からの押圧により弾性変形する、
あるいは、
前記第１係止部材の一部が挿入可能であって、前記第１屈曲部と係合し、前記中間部に連続する前記第１係止部材の先端部が係止する、第１挿入孔が形成される前記第１保持部材、および、前記第２係止部材の一部が挿入可能であって、前記第２屈曲部と係合する、第２挿入孔が形成される第２保持部材を備える、
ことを特徴とする光源部品。
【手続補正７】
【補正対象書類名】特許請求の範囲
【補正対象項目名】請求項９
【補正方法】変更
【補正の内容】
【請求項９】
請求項１ないし７のいずれか１項に記載の照明器具の光源部品が取付可能な取付部品であって、
光源を正面に支持する前記光源部品の本体の背面に対向する面に、
前記本体の背面に対向する面から前記本体の背面に向かって屈曲する第１屈曲部、前記第１屈曲部に連続し前記本体の背面に向かって延びる中間部、および、先端に形成され、対向する第１保持部材に係止する形状を有する先端部を有する第１係止部材、および、前記本体の背面に対向する面から前記第１屈曲部とは反対向きに突出して前記本体の背面に向かって屈曲する第２屈曲部を有する第２係止部材を備え、
前記第１係止部材および前記第２係止部材の少なくとも一方は、前記第１係止部材と前記第２係止部材が対向する方向からの押圧により弾性変形する、
あるいは、
前記第１係止部材の一部が挿入可能であって、前記第１屈曲部と係合し、前記中間部に連続する前記第１係止部材の先端部が係止する、第１挿入孔が形成される前記第１保持部材、および、前記第２係止部材の一部が挿入可能であって、前記第２屈曲部と係合する、第２挿入孔が形成される第２保持部材を備える、
ことを特徴とする取付部品。